【事件の表示】
　特願２０１６−１３２２８０「立体造形物の製造方法」拒絶査定不服審判事件〔平成２８年１１月２４日出願公開、特開２０１６−１９６１９０、請求項の数（７）〕について、次のとおり審決する。
【結　論】
　原査定を取り消す。
　本願の発明は、特許すべきものとする。
【理　由】
第１　手続の経緯
　本願は、平成２４年３月５日に出願された特願２０１２−４８１３４号（以下、「原々出願」という。）の一部を新たな特許出願とした特願２０１５−８２４１７号の一部を、更に平成２８年７月４日に新たな特許出願とした出願であって、同月１３日付けで手続補正がされ、平成２９年４月７日付けで拒絶理由通知がされ、同年６月２２日付けで手続補正がされ、同年１１月１３日付けで拒絶査定（以下「原査定」という。）がされ、これに対し、平成３０年３月６日付けで拒絶査定不服審判が請求されると同時に手続補正がされ、その後、当審において、同年１１月２９日付けで拒絶理由通知がされ、平成３１年２月２０日付けで手続補正がされ、同年４月２２日付けで拒絶理由通知がされ、令和１年６月１４日付け手続補正書（以下「本件補正書」という。）により手続補正がされたものである。
第２　本願発明
　本願請求項１ないし７に係る発明（以下、それぞれ「本願発明１」ないし「本願発明７」という。）は、本件補正書により補正された特許請求の範囲の請求項１ないし７に記載された事項により特定される、以下のとおりの発明である。
　「【請求項１】
　一面側に熱膨張層が形成された熱膨張性シートにおける前記熱膨張層上に、主要部と背景を含む第１の画像を印刷する第１画像印刷ステップと、
　前記熱膨張性シートの他面側に第２の画像を印刷する第２画像印刷ステップと、
　前記第２画像印刷ステップで印刷された前記第２の画像に向けて前記熱膨張性シートの前記他面側から、前記熱膨張層における所定の領域を熱膨張させることが可能な熱を前記第２の画像が帯びるように光を照射する光照射ステップと、
を有し、
　前記第２の画像は、濃色部と淡色部とを有し、前記第１の画像の主要部に対応する領域に所定の筆触又は筆致を表現又は再現するように、前記濃色部と前記淡色部の配置や濃度が設定され、かつ前記第１の画像の背景に対応する領域に所定の生地を表現又は再現するように、前記濃色部と前記淡色部の配置や濃度が設定されて印刷されることで、前記第１の画像の主要部に対応する領域には、前記所定の筆触又は筆致に対応するように、筆跡や隆起高さを有する凹凸模様が形成され、前記第１の画像の背景に対応する領域には、前記所定の生地に対応するように、所定の目の粗さや隆起高さを有する凹凸模様が形成されることを特徴とする立体造形物の製造方法。
　　【請求項２】
　一面側に熱膨張層が形成された熱膨張性シートにおける他面側に第２の画像を描画する描画ステップと、
　前記描画ステップで描画された前記第２の画像に向けて前記熱膨張性シートの前記他面側から、前記熱膨張層における所定の領域を熱膨張させることが可能な熱を前記第２の画像が帯びるように、光を照射する光照射ステップと、
を有し、
　前記第２の画像は、濃色部と淡色部とを有し、前記熱膨張性シートの前記一面側に描画される第１の画像は主要部と背景を含み、前記第１の画像の主要部に対応する領域に所定の筆触又は筆致を表現又は再現するように、前記濃色部と前記淡色部の配置や濃度が設定され、かつ当該第１の画像の背景に対応する領域に所定の生地を表現又は再現するように、前記濃色部と前記淡色部の配置や濃度が設定されて印刷されることで、前記第１の画像の主要部に対応する領域には、前記所定の筆触又は筆致に対応するように、筆跡や隆起高さを有する凹凸模様が形成され、前記第１の画像の背景に対応する領域には、前記所定の生地に対応するように、所定の目の粗さや隆起高さを有する凹凸模様が形成されることを特徴とする立体造形物の製造方法。
　　【請求項３】
　前記第２の画像は、前記光照射ステップで光が照射されることにより前記熱膨張層における前記第１の画像に対応した領域を熱膨張させることが可能な熱を帯びる画像として設定されていることを特徴とする請求項１又は２の何れかに記載の立体造形物の製造方法。
　　【請求項４】
　前記第１の画像の背景に対応する領域は、前記第１の画像の主要部に対応する領域を避けた領域として設定されていることを特徴とする請求項１から３の何れかに記載の立体造形物の製造方法。
　　【請求項５】
　一面側に熱膨張層が形成された熱膨張性シートにおける前記熱膨張層上に、主要部と背景を含む彩色画像を印刷する彩色画像印刷ステップと、
　前記熱膨張性シートの他面側にモノクロ画像を印刷するモノクロ画像印刷ステップと、
　前記モノクロ画像印刷ステップで印刷された前記モノクロ画像に向けて前記熱膨張性シートの前記他面側から、前記熱膨張層における所定の領域を熱膨張させることが可能な熱を前記モノクロ画像が帯びるように光を照射する光照射ステップと、
を有し、
　前記モノクロ画像は、濃色部と淡色部とを有し、前記彩色画像の主要部に対応する領域に所定の筆触又は筆致を表現又は再現するように、前記濃色部と前記淡色部の配置や濃度が設定され、かつ前記彩色画像の背景に対応する領域に所定の生地を表現又は再現するように、前記濃色部と前記淡色部の配置や濃度が設定されて印刷されることで、前記彩色画像の主要部に対応する領域には、前記所定の筆触又は筆致に対応するように、筆跡や隆起高さを有する凹凸模様が形成され、前記彩色画像の背景に対応する領域には、前記所定の生地に対応するように、所定の目の粗さや隆起高さを有する凹凸模様が形成されることを特徴とする立体造形物の製造方法。
　　【請求項６】
　前記モノクロ画像は、前記光照射ステップで光が照射されることにより前記熱膨張層における前記彩色画像に対応した領域を熱膨張させることが可能な熱を帯びる画像として設定されていることを特徴とする請求項５に記載の立体造形物の製造方法。
　　【請求項７】
　前記彩色画像の背景に対応する領域は、前記彩色画像の主要部に対応する領域を避けた領域として設定されていることを特徴とする請求項５又は６に記載の立体造形物の製造方法。」
第３　引用文献、引用発明等
１　引用文献１について
　原査定の拒絶の理由に引用された引用文献１（特開２００１−１５０８１２号公報）には、図面とともに次の事項が記載されている。
（１）　「【０００１】
【発明の属する技術分野】本発明は、発泡性シートを選択的に発泡させて造形を行う発泡造形技術に関する。」
（２）　「【００２９】＜造形の原理＞図２は、発泡性シート９の断面図である。なお、この断面図は、説明の便宜上、厚み方向寸法を拡大して示している。この図を参照しながら、半立体画像の造形の原理を説明する。
【００３０】
発泡性シート９は、図２（ａ）のように、基材層９１と、基材層９１上に積層された発泡層９２とを有している。
【００３１】基材層９１は、後述する光ＬＴを実質的に散乱反射する表面９１Ｓを有している。
【００３２】
発泡層９２は、空間分布した多数のマイクロカプセル９３と、これらのマイクロカプセル９３を覆う被覆部９４とを備えている。
【００３３】マイクロカプセル９３は、プロパン、ブタンその他の低沸点気化性物質を塩化ビニルデン−アクリロニトリル、メタクリル酸エステル−アクリル酸コポリマー、塩化ビニリデン−アクリル酸コポリマー、塩化ビニリデン−アクリル酸エステルコポリマー等の熱可塑性樹脂でカプセル化したものであり、大きさは粒径１０〜３０μｍ程度である。
このマイクロカプセル９３を加熱すると、所定の温度に達した時にマイクロカプセル９３内の物質が気化しはじめ、マイクロカプセル９３が膨張することとなる。
【００３４】被覆部９４は、例えば酢酸ビニル系ポリマー、アクリル系ポリマー等の熱可塑性被覆剤を使用してマイクロカプセル９３がほぼ一様な密度に分布するように固定するとともに、基材層９１と発泡層９２との接合を行う。
【００３５】そして、
図２（ｂ）に示すように、基材層９１の下側の表面９１Ｓに、光吸収性パターン９５を形成する。光吸収性パターン９５は、光吸収性の低いパターン９５ａと、光吸収性の高いパターン９５ｂとの組合せで構成されている。
【００３６】
光吸収性パターン９５に対して、赤外線を含む光ＬＴを一様に照射すると、光吸収性パターン９５が光ＬＴを吸収して熱ＴＭが発生し、その熱の空間パターンが基材層９１を伝導して発泡層９２に至る。そして、この熱ＴＭにより、発泡層９２内のマイクロカプセル９３が膨張して、選択的に隆起する隆起部９６（９６ａ、９６ｂ）が生じる。
（３）　「【００４１】＜造形の手順＞図５は、
半立体画像を造形する手順
半立体画像の造形を行うプロセス
【００４２】まず、図５（ａ）に示す発泡性シート９（図２（ａ）に示すものと同じ）を準備する。
【００４３】そして、図５（ｂ）,(ｆ）のように、
発泡性シート９の発泡層９２の表面上に、２次元画像データＤＰに基づき、カラー画像などの可視的な平面画像９７を形成する。
【００４４】
平面画像９７は、例えば図６（ａ）に示すように、２次元画像データＤＰにおいて、魚モデルＭＤａおよび水草モデルＭＤｂに対応する魚画像９７ａおよび水草画像９７ｂと、立体モデルＭＤに無関係な方形状の枠を表す枠画像９７ｃとで構成される。この枠画像９７ｃは、魚画像９７ａと水草画像９７ｂとの組合せに関する額縁の役割を果たしている。
【００４５】次に、図５（ｃ）,(ｇ）のように、
発泡性シート９の発泡層９２の裏面に相当する基材層９１の表面上に、既述した方法で予め取得している距離画像データＤＳなどに基づき、濃淡画像の光吸収性パターン９５を形成する。
【００４６】
光吸収性パターン９５は、例えば図６（ｂ）に示すように、魚モデルＭＤａに対応する魚パターン９５ｆと、方形状の枠を表す枠パターン９５ｇとで構成されている。
【００４７】
魚パターン９５ｆは、魚モデルＭＤａの距離画像データＤＳにおいて、距離データが示す立体形状の各部の高さに応じて濃淡をつけたもので、魚パターン９５ｆの中央に向かうほど、濃い色となっている。
【００４８】また、魚パターン９５ｆは、魚画像９７ａの位置に整合している。この場合、距離画像データＤＳは、魚モデルＭＤａと水草モデルＭＤｂとのデータを有しているが、このデータうちの一部つまり水草モデルＭＤｂを除く魚モデルＭＤａのみを光吸収性パターン９５に反映している。つまり、魚パターン９５ｆは、距離画像データＤＳにおいて造形すべき選択画像データに対応するものとなっている。このように、光吸収性パターン９５は、距離画像データＤＳの一部に対応する濃淡画像のパターンとして形成してもよく、そのかわりに距離画像データＤＳの全体にわたって形成してもよい。
【００４９】枠パターン９５ｇは、濃淡がなく一様の濃度で着色されている。また、枠パターン９５ｇは、距離画像データＤＳとは無関係に形成された幾何学的な画像パターンである。これは、上記の選択画像データに追加される追加画像データに対応するものである。
【００５０】最後に、図５（ｄ）に示すように、
濃淡画像の光吸収性パターン９５が形成されている基材層９１側から、光ＬＴを照射する。これにより、図５（ｈ）に示すように、隆起部９６ｆ、９６ｇが生成される。隆起部９６ｆは、画像パターン９５ｆで中央に向かうほど濃い色となっているため、中央に向かうほど発泡高さが大きくなっている。
（４）　「【００６６】＜発泡造形システム１の動作＞図９は、発泡造形システム１の動作の概要を説明するフローチャートであり、以下に示すデータ処理および制御動作は、図７に示すデータ処理部５０に内蔵されたマイクロコンピュータによってソフト的に実行される。
【００６７】ステップＳ１では、立体モデルＭＤの距離画像データＤＳに基づき、造形データＤＺを生成する。この詳細については、後述する。
【００６８】
ステップＳ２では、画像印刷部２０にて、発泡性シート９の発泡層９２の表面上にに平面画像９７を印刷する。
【００６９】ステップＳ３では、表裏反転機構３０により発泡性シート９の表裏を反転する。つまり、ステップＳ２で平面画像９７が印刷された発泡性シート９を反転させることで、平面画像９７が印刷された発泡性シート９の反対面に、光吸収性パターン９５の印刷が可能となる。
【００７０】
ステップＳ４では、発泡性シート９の基材層９１に光吸収性パターン（濃淡画像）９５を印刷する。
ここでは、Ｋ色（黒色）のトナーのみを用いた面積階調法により、濃淡画像を形成する。
【００７１】図１０は、面積階調法によって濃淡表現をした例の原理を示す概念的拡大図であり、最も濃度が高い領域に対応する図１０（ａ）ではほぼ１００％の面積割合で黒トナーＫが付与され、中間程度に濃度が高い領域に対応する図１０（ｂ）ではほぼ５０％の面積割合で黒トナーＫが付与され、そして最も濃度が小さい領域に対応する図１０（ｃ）では実質的に黒トナーを付与していない。
【００７２】そして、画像印刷部２０においては、このような濃淡のパターンが、平面画像９７に対して位置的に対応させて発泡層９１上に形成され、図５（ｃ）,(ｇ）に相当する状態がの発泡性シート９が得られる。
【００７３】ステップＳ５では、造形部４０において、発泡性シート９に光を照射する。つまり、両面印刷された発泡性シート９を基材層９１側が上向きの状態で、搬送ベルト４６により一定速度で搬送しつつ、ランプ４３により光を照射する。これにより、光吸収性パターン９５の濃淡の程度に応じて、発泡性シート９の発泡層９２内のマイクロカプセル９３が膨張して、発泡性シート９において下向きに発泡高さＨを有する半立体画像が造形され、図５（ｄ）,(ｈ）の状態が得られることとなる。」
（５）　上記（４）で摘記した段落［００６８］の記載における、「平面画像９７を印刷する」ことは、平面画像９７を形成するために行うことは自明である。
（６）　上記（４）で摘記した段落［００７０］の記載における、「光吸収性パターン（濃淡画像）９５を印刷する」ことは、光吸収性パターン（濃淡画像）９５を形成するために行うことも自明である。
（７）　上記（３）及び（４）で摘記した記載全体から、引用文献１には、「半立体画像を造形する方法」が記載されているものと認められる。
　したがって、上記引用文献１には、次の発明（以下、「引用発明」という。）が記載されていると認められる。
　「発泡性シート９は、基材層９１と、基材層９１上に積層された発泡層９２とを有し、
　発泡層９２は、空間分布した多数のマイクロカプセル９３と、これらのマイクロカプセル９３を覆う被覆部９４とを備え、このマイクロカプセル９３を加熱すると、所定の温度に達した時にマイクロカプセル９３内の物質が気化しはじめ、マイクロカプセル９３が膨張することとなり、
　発泡性シート９の発泡層９２の表面上に、２次元画像データＤＰに基づき、カラー画像などの可視的な平面画像９７を印刷し、
　発泡性シート９の発泡層９２の裏面に相当する基材層９１の表面上に、距離画像データＤＳなどに基づき、Ｋ色（黒色）のトナーのみを用いた面積階調法により、濃淡画像の光吸収性パターン９５を印刷し、
　平面画像９７は、２次元画像データＤＰにおいて、魚モデルＭＤａおよび水草モデルＭＤｂに対応する魚画像９７ａおよび水草画像９７ｂと、立体モデルＭＤに無関係な方形状の枠を表す枠画像９７ｃとで構成され、
　濃淡画像の光吸収性パターン９５は、魚モデルＭＤａに対応する魚パターン９５ｆと、方形状の枠を表す枠パターン９５ｇとで構成され、魚パターン９５ｆは、魚モデルＭＤａの距離画像データＤＳにおいて、距離データが示す立体形状の各部の高さに応じて濃淡をつけたもので、魚パターン９５ｆの中央に向かうほど、濃い色となっており、濃淡画像の光吸収性パターン９５が形成されている基材層９１側から、光ＬＴを照射し、光吸収性パターン９５が光ＬＴを吸収して熱ＴＭが発生し、その熱の空間パターンが基材層９１を伝導して発泡層９２に至り、この熱ＴＭにより、発泡層９２内のマイクロカプセル９３が膨張して、選択的に隆起し、これにより、隆起部９６ｆ、９６ｇが生成され、隆起部９６ｆは、画像パターン９５ｆで中央に向かうほど濃い色となっているため、中央に向かうほど発泡高さが大きくなっている、半立体画像を造形する方法。」
２　引用文献２について
　原査定の拒絶の理由に引用された引用文献２（特開２００３−３４１２１６号公報）には、図面とともに次の事項が記載されている。
（１）「【発明の属する技術分野】本発明は、
図柄が視覚的な立体感を有する印刷物及びその製造方法に関する。
（２）「【０００２】
【発明が解決しようとする課題】そこで、本発明は、平坦な印刷面を提供するオフセット印刷やプロセス印刷等の安価な印刷技法をベースにし、これを特定の印刷技法と組み合わせることで、図柄に視覚的な立体感を有する印刷物及びその製造方法を提供することを課題とする。特に本発明は、実物の油絵にあるような立体的質感を忠実に反映させた印刷物及びその製造方法を提供することをも課題とする。」
（３）「【０００９】
【発明の実施の形態】本発明の印刷物には、印刷業界で一般に知られる印刷材が使用される。そのような印刷材は、比較的平坦な表面を有し、一般的な印刷工程において絵画や字等の図柄を印刷できるものであればよく、典型的には、オフセット印刷、プロセス印刷、又はそれらに類した印刷に用いられる紙材である。例えば、はがき類、チラシ類、パンフレット類、チケット類、カレンダー、製本、又は雑誌等に用いられる紙材が挙げられる。また、本発明の印刷工程に供することができるものであれば、普通紙やコピー用紙の類でもよい。
【００１０】本発明にいう「印刷面」とは、任意の図柄が印刷された面のことである。通常、前記印刷面は、図柄を描写するために塗布された有色インキ層からなる。前記印刷面が「平坦」であるとは、図柄が通常の印刷工程により平面に表現されていることを意味する。したがって、その印刷面は、インキ層が視覚的な立体感を有しない程度に平滑である。そのようなインキ層は、例えば、オフセット印刷、プロセス印刷、又はそれらに類した印刷手法によるもので、通常は数μｍ以下の薄層として形成される。また、多色印刷ならば、例えば、イエロー、シアン、マジェンダ及びブラックを重ね合わせるプロセス印刷により多色インキ層が形成される。本発明において前記インキ層を構成し得るインキ組成物には、無機顔料又は有機顔料と、油性、水性、乾油性若しくはアルコール性の樹脂、合成若しくは天然の樹脂又はそれらのあらゆる組合せであり得る樹脂とからなるものが含まれる。また、前記印刷面は、図柄の構成によっては、部分的にインキが載らない白紙部分が存在してもよいし、白色インキ層が存在してもよい。使用される印刷インキも、その印刷工程も、前記印刷材上に視覚的に平坦な印刷面を形成できるならば、特に限定されるものではない。あらゆる図柄が、公知のオフセット印刷装置又はプロセス印刷装置を使用して印刷されるであろう。本発明にいう「図柄」とは、任意の図柄であり特に限定されるものではないが、好ましくは、実在のモチーフの立体的構図を平面で表現したものである。最も有用と思われる図柄は、油絵の複製を目的としたカラー印刷図である。
【００１１】本発明にいう「透明インキ」とは、少なくとも乾燥したときに透明性を有する印刷塗料のことであり、典型的にはニスが挙げられる。透明インキ層の形成は、一種のリストール加工であり、例えば、公知のシルクスクリーン印刷を使用して形成することができる。透明インキの例には、乾油性、油性、水性若しくはアルコール性、又は合成若しくは天然のあらゆるビヒクルが含まれるが、好ましくは、リストール加工用の公知のニス類、特に紫外線で硬化する樹脂である。いずれにしても、当業者は、使用される印刷材や前記図柄を構成する有色インキとの相性、及び採用される特定の印刷技法などに適する透明塗料を選択するであろう。
【００１２】
本発明の印刷物は、前記透明インキ層に起因して、平面な図柄に立体的質感を有することができる。本発明による立体的質感は、透明インキ層を介した光の屈折により透明インキ面の下に存在する印刷面が浮き上がって見えたり、透明インキ層の表面で光が反射したりすることに起因する。
【００１３】
本発明の主たる利点は、油絵をモチーフとする平坦な図に、実物の油絵のごとき立体感が付与されることである。特に油絵独特の刷毛塗りのタッチが感じられるようになる。この場合、実在するキャンバス面上の立体的形状に相似する表面形状が、透明インキ層の厚み変化で印刷面上に再現される。
【００１４】
先ず、実物の油絵に存在する凹凸（キャンバス上の絵の具の盛り上がり）が測定される。他方、印刷面には、その油絵と同じ図柄が印刷される。そして、その図柄の上に、前記測定された凹凸とほぼ相似する凹凸を有する透明インキ層が形成される。
【００１５】既に言及したように、凹凸のある透明インキ層を図柄に合わせて形成する工程も、透明インキを使用する一種の印刷である。特に凹凸を正確且つ安価に再現する方法は、レーザースキャン装置による凹凸の測定工程、コンピュータでの測定値のデータ処理工程、その測定データに基づく複数の印刷版の作製工程、及びそれら印刷版を使用する透明インキ印刷工程を含む。レーザースキャン装置を用いた測定は、キャンバス面を測定面としてレーザ走査を行い、各測定ポイントの高さを数値化する。
【００１６】透明インキのシルクスクリーン印刷では、一枚の印刷版で、一定の厚みのインキ層を印刷面上に形成することができる。この場合、塗布範囲の異なる複数の印刷版を用いて透明インキを塗り重ることで、部分的に厚みの異なる透明インキ層を形成できる。塗布回数の多い部位には厚い透明インキ層が形成され、塗布回数の少ない部位には薄い透明インキ層が形成される。
【００１７】すなわち、絵の具の盛り上がりが高い分布範囲ほど透明インキの塗布回数が増加するように、前記凹凸の測定データを基にして複数の印刷版が設計される。それら各印刷版を、順々に印刷面上の図柄に合わせて透明インキを印刷することにより、実物の凹凸とほぼ相似する形態の透明インキ層が形成される。なお、相似形態の比率は任意に変えてもよい。また、シルクスクリーン印刷では、塗り重ねによらず、乳剤でインキ層の厚みを増すこともできる。これによれば、一回の印刷で最大約２００μｍの厚みを形成することができる。本発明においても、厚みの大きな部分については乳剤で厚みを作ることとし、その分についての塗り重ねを省くことができる。例えば、最大の厚み部分について、前記塗り重ね工程によらず、１回のシルクスクリーン印刷で済ませると効率的である。この場合、塗り重ね工程の印刷範囲からは、最大の厚みに関する塗布分を差し引けばよい。本発明の好ましい態様によれば、数ｃｍ四方の比較的小さな油絵の図柄に対して、透明インキ層を約５〜約２００μｍの厚みで形成することができ、これにより驚くほどリアルな立体感を出すことができた。
【００１８】
また、透明インキ層の他の利用法としては、その印刷物にキャンバス地様の質感を与えることである。この場合、透明インキ層を用いて、繊維質のキャンバス地の模様をまねた網目状の凹凸を形成するとよい。以上のように、印刷面上に再現される透明インキ層の厚みは、絵の具の盛り上がりであったり、キャンバス地に似た網目模様であったりすることができる。
　したがって、上記引用文献２には、実物の油絵に存在する凹凸（キャンバス上の絵の具の盛り上がり）が測定され、他方、印刷面には、その油絵と同じ図柄が印刷され、そして、その図柄の上に、前記測定された凹凸とほぼ相似する凹凸を有する透明インキ層が形成され、透明インキ層を介した光の屈折により透明インキ面の下に存在する印刷面が浮き上がって見えたり、透明インキ層の表面で光が反射したりすることに起因する立体的質感を有することができ、印刷面上に再現される透明インキ層の厚みは、絵の具の盛り上がりであったり、キャンバス地に似た網目模様であったりすることができるという技術的事項が記載されていると認められる。
第４　対比・判断
１　本願発明１について
（１）対比
　本願発明１と引用発明とを対比すると、次のことがいえる。
ア　引用発明の「発泡層９２」は、「空間分布した多数のマイクロカプセル９３と、これらのマイクロカプセル９３を覆う被覆部９４とを備え、このマイクロカプセル９３を加熱すると、所定の温度に達した時にマイクロカプセル９３内の物質が気化しはじめ、マイクロカプセル９３が膨張する」ものであるから、引用発明の「発泡層９２」は、本願発明１の「熱膨張層」に相当する。
イ　引用発明の「発泡性シート９」は、「基材層９１と、基材層９１上に積層された発泡層９２とを有」するものであるから、引用発明の「発泡性シート９」は、本願発明１の「一面側に熱膨張層が形成された熱膨張性シート」に相当する。
ウ　引用発明の「平面画像９７」は、「発泡性シート９の発泡層９２の表面上に」「印刷」されるものであるから、本願発明１の「第１の画像」と引用発明の「平面画像９７」とは、「一面側に熱膨張層が形成された熱膨張性シートにおける前記熱膨張層上に」「印刷」される「画像」である点で共通する。
エ　上記ア〜ウから、引用発明の「発泡性シート９の発泡層９２の表面上に、２次元画像データＤＰに基づき、カラー画像などの可視的な平面画像９７を印刷」することは、本願発明１の「一面側に熱膨張層が形成された熱膨張性シートにおける前記熱膨張層上に、」「画像を印刷する第１画像印刷ステップ」に相当する。
オ　引用発明の「発泡性シート９の発泡層９２の裏面に相当する基材層９１の表面上」は、本願発明１の「熱膨張シートの他面側」に相当する。
カ　引用発明の「濃淡画像の光吸収性パターン９５」は、発泡性シート９の発泡層９２の裏面に相当する基材層９１の表面上に印刷されるものである。
　また、引用発明では、濃淡画像の光吸収性パターン９５が形成されている基材層９１側から、光ＬＴを照射すると、光吸収性パターン９５が光ＬＴを吸収して熱ＴＭが発生し、その熱の空間パターンが基材層９１を伝導して発泡層９２に至り、この熱ＴＭにより、発泡層９２内のマイクロカプセル９３が膨張して、選択的に隆起し、これにより、隆起部９６ｆ、９６ｇが生成される。
　それに対して、本願発明１の「第２の画像」は、「熱膨張シートの他面側に」「印刷」されるものである。
　また、本願発明１の「第２の画像」は、「第２の画像に向けて前記熱膨張シートの前記他面側から」「光を照射する」と、「前記熱膨張層における所定の領域を熱膨張させることが可能な熱を」「帯びる」ものである。
　したがって、本願発明の「第２の画像」と、引用発明の「濃淡画像画像の光吸収性パターン９５」とは、「熱膨張シートの他面側に」「印刷」される他の画像である点で共通し、かつ、「前記熱膨張シートの前記他面側から」「光を照射する」と、「前記熱膨張層における所定の領域を熱膨張させることが可能な熱を」「帯びる」ものである点でも共通する。
　さらに、本願発明１の「熱膨張性シートの他面側に第２の画像を印刷する第２画像印刷ステップ」と、引用発明の「発泡性シート９の発泡層９２の裏面に相当する基材層９１の表面上に、」「濃淡画像の光吸収性パターン９５を印刷」することは、「熱膨張性シートの他面側に」他の「画像を印刷する第２画像印刷ステップ」である点で共通する。
キ　引用発明の「濃淡画像の光吸収性パターン９５」は、「魚モデルＭＤａに対応する魚パターン９５ｆと、方形状の枠を表す枠パターン９５ｇとで構成され、魚パターン９５ｆは、魚モデルＭＤａの距離画像データＤＳにおいて、距離データが示す立体形状の各部の高さに応じて濃淡をつけたもので、魚パターン９５ｆの中央に向かうほど、濃い色となって」いることから、引用発明の「濃淡画像の光吸収性パターン９５」は、濃色部と淡色部を有するものと認められる。
　したがって、本願発明１と引用発明とは、「熱膨張性シートの他面側」に「印刷」された他の「画像」が、「濃色部と淡色部とを有」する点で共通する。
ク　引用発明において、「濃淡画像の光吸収性パターン９５が形成されている基材層９１側から、光ＬＴを照射」すると、「光吸収性パターン９５が光ＬＴを吸収して熱ＴＭが発生し、その熱の空間パターンが基材層９１を伝導して発泡層９２に至り、この熱ＴＭにより、発泡層９２内のマイクロカプセル９３が膨張して、選択的に隆起し、これにより、隆起部９６ｆ、９６ｇが生成され」ることから、本願発明１の「第２画像印刷ステップで印刷された前記第２の画像に向けて前記熱膨張性シートの前記他面側から、前記熱膨張層における所定の領域を熱膨張させることが可能な熱を前記第２の画像が帯びるように光を照射する光照射ステップ」と、引用発明の「濃淡画像の光吸収性パターン９５が形成されている基材層９１側から、光ＬＴを照射」することとは、「第２画像印刷ステップで印刷された」前記他の「画像に向けて前記熱膨張性シートの前記他面側から、前記熱膨張層における所定の領域を熱膨張させることが可能な熱を」前記他の「画像が帯びるように光を照射する光照射ステップ」である点で共通する。
ケ　引用発明の「半立体画像を造形する方法」は、本願発明１の「立体造形物の製造方法」に相当する。
コ　上記ア〜ケより、本願発明１と引用発明との間には、次の一致点、相違点があるといえる。
［一致点］
　「一面側に熱膨張層が形成された熱膨張性シートにおける前記熱膨張層上に、画像を印刷する第１画像印刷ステップと、
　前記熱膨張性シートの他面側に他の画像を印刷する第２画像印刷ステップと、
　前記第２画像印刷ステップで印刷された前記他の画像に向けて前記熱膨張性シートの前記他面側から、前記熱膨張層における所定の領域を熱膨張させることが可能な熱を前記他の画像が帯びるように光を照射する光照射ステップと、
を有し、
　前記他の画像は、濃色部と淡色部とを有する、立体造形物の製造方法」
［相違点］
　本願発明１においては、第１画像印刷ステップで印刷される「画像」は、「主要部と背景を含む第１の画像」であり、「第２の画像」の「濃色部」と「淡色部」が、「前記第１の画像の主要部に対応する領域に所定の筆触又は筆致を表現又は再現するように、前記濃色部と前記淡色部の配置や濃度が設定され、かつ前記第１の画像の背景に対応する領域に所定の生地を表現又は再現するように、前記濃色部と前記淡色部の配置や濃度が設定されて印刷されることで、前記第１の画像の主要部に対応する領域には、前記所定の筆触又は筆致に対応するように、筆跡や隆起高さを有する凹凸模様が形成され、前記第１の画像の背景に対応する領域には、前記所定の生地に対応するように、所定の目の粗さや隆起高さを有する凹凸模様が形成される」のに対して、引用発明においては、平面画像９７が、「主要部と背景を含む」画像であることは特定されておらず、濃淡画像の光吸収性パターン９５の濃淡が、「主要部」及び「背景」との関係でどのように設定されるかも特定されていない点
（２）相違点についての判断
　引用文献２には、「実物の油絵に存在する凹凸」と「ほぼ相似する凹凸」を有する透明インク層を形成することは記載されているものの、実物の油絵の凹凸とは関係なく、印刷面の画像の主要部であるか背景であるかによって表現される凹凸を異ならせることは記載されていない。
　したがって、引用発明に対して、引用文献２に記載された技術的事項を適用しても、直ちに、上記相違点に係る、本願発明１の発明特定事項を導き出すことはできない。
　また、印刷面の画像の主要部であるか背景であるかによって表現される凹凸を異ならせることが、本願の原々出願の出願時の周知技術であることを示す証拠もない。
　したがって、上記相違点に係る、本願発明１の発明特定事項を導き出すことは、当業者が適宜なし得た設計変更ということもできない。
　よって、本願発明１は、当業者であっても、引用発明及び引用文献２に記載された技術的事項に基づいて容易に発明できたものとはいえない。
２　本願発明２について
　本願発明２も、本願発明１と同様に、「第１の画像は主要部と背景を含み」、「第２の画像」の「濃色部」と「淡色部」が、「前記第１の画像の主要部に対応する領域に所定の筆触又は筆致を表現又は再現するように、前記濃色部と前記淡色部の配置や濃度が設定され、かつ前記第１の画像の背景に対応する領域に所定の生地を表現又は再現するように、前記濃色部と前記淡色部の配置や濃度が設定されて印刷されることで、前記第１の画像の主要部に対応する領域には、前記所定の筆触又は筆致に対応するように、筆跡や隆起高さを有する凹凸模様が形成され、前記第１の画像の背景に対応する領域には、前記所定の生地に対応するように、所定の目の粗さや隆起高さを有する凹凸模様が形成される」という構成を備えるものであるから、本願発明１と同じ理由により、当業者であっても、引用発明、引用文献２に記載された技術的事項に基づいて容易に発明できたものとはいえない。
３　本願発明３及び４について
　本願発明３及び４は、本願発明１又は２を、さらに限定するものであるから、本願発明１と同じ理由により、当業者であっても、引用発明、引用文献２に記載された技術的事項に基づいて容易に発明できたものとはいえない。
４　本願発明５について
　本願発明５は、本願発明１に対して、「第１の画像」が、「彩色画像」に、「第２の画像」が、「モノクロ画像」に、それぞれ限定されたものである。
　しかし、引用発明の「平面画像９７」は、「カラー画像などの可視的な」ものであるから、本願発明５の「彩色画像」と引用発明の「平面画像９７」とは、「彩色」を施された画像である点でも共通し、引用発明の「濃淡画像の光吸収性パターン９５」は、Ｋ色（黒色）のトナーのみを用いた面積階調法により印刷されることから、本願発明５の「モノクロ画像」と引用発明の「濃淡画像の光吸収性パターン９５」とは、「モノクロ」の画像である点でも共通する。
　したがって、本願発明５と引用発明の相違点は、上記第４の１（１）コで検討した相違点の「第１の画像」を「彩色画像」に、「第２の画像」を「モノクロ画像」に読み替えたものにすぎないので、本願発明１と同じ理由により、当業者であっても、引用発明、引用文献２に記載された技術的事項に基づいて容易に発明できたものとはいえない。
５　本願発明６及び７について
　本願発明６及び７は、本願発明５を、さらに限定するものであるから、本願発明１と同じ理由により、当業者であっても、引用発明、引用文献２に記載された技術的事項に基づいて容易に発明できたものとはいえない。
第５　原査定の概要及び原査定についての判断
　原査定は、請求項１ないし７について、上記引用文献１及び２に基づいて、当業者が容易に発明できたものであるから、特許法第２９条第２項の規定により特許を受けることができないというものである。しかし、上記第４の１（２）で検討したとおり、本願発明１ないし７は、上記引用文献１に記載された発明及び上記引用文献２に記載された技術的事項に基づいて、当業者が容易に発明できたものではない。したがって、原査定を維持することはできない。
第６　当審拒絶理由通知について
１　平成３０年１１月２９日付け拒絶理由通知書について
（１）　当審では、平成３０年１１月２９日付け拒絶理由通知書において、
ア　請求項１及び２の「第１の画像」が「背景」を含むのか否かが明確でない旨、
イ　上記アの結果、請求項４の記載が技術的に矛盾する場合がある旨、
ウ　請求項５の「彩色画像」が「背景」を含むのか否かが明確でない旨、
エ　上記ウの結果、請求項７の記載が技術的に矛盾する場合がある旨
　の拒絶理由を通知している。
（２）　当該拒絶理由に対し、平成３１年２月２０日付け手続補正書による補正において、
ア　請求項１について、「主要部と背景を含む第１の画像」と補正され、
イ　請求項２について、「第１の画像は主要部と背景を含み」と補正され、
ウ　請求項４について、「前記第１の画像の主要部」と補正され、
エ　請求項５について、「主要部と背景を含む彩色画像」と補正され、
オ　請求項７について、「前記彩色画像の主要部」と補正され、
　その結果、上記（１）ア〜エの拒絶理由は解消した。 
２　平成３１年４月２２日付け拒絶理由通知書について
（１）　当審では、平成３１年４月２２日付け拒絶理由通知書において、
ア　請求項１及び２の「第２の画像」がどのような画像であるのか明確でない旨、
イ　請求項１及び２の記載では、「第２の画像」の「濃色部」と「淡色部」と、「第１の画像」の「主要部」と「背景」との関係が明確でない旨、
ウ　請求項５の「彩色画像」がどのような画像であるのか明確でない旨、
エ　請求項５の記載では、「モノクロ画像」の「濃色部」と「淡色部」と、「彩色画像」の「主要部」と「背景」との関係が明確でない旨
の拒絶理由を通知している。
（２）　当該拒絶理由に対し、本件補正書による補正において、
ア　請求項１について、「前記第２の画像は、濃色部と淡色部とを有し、前記第１の画像の主要部に対応する領域に所定の筆触又は筆致を表現又は再現するように、前記濃色部と前記淡色部の配置や濃度が設定され、かつ前記第１の画像の背景に対応する領域に所定の生地を表現又は再現するように、前記濃色部と前記淡色部の配置や濃度が設定されて印刷されることで、前記第１の画像の主要部に対応する領域には、前記所定の筆触又は筆致に対応するように、筆跡や隆起高さを有する凹凸模様が形成され、前記第１の画像の背景に対応する領域には、前記所定の生地に対応するように、所定の目の粗さや隆起高さを有する凹凸模様が形成される」と補正され、
イ　請求項２について、「前記第２の画像は、濃色部と淡色部とを有し、前記熱膨張性シートの前記一面側に描画される第１の画像は主要部と背景を含み、前記第１の画像の主要部に対応する領域に所定の筆触又は筆致を表現又は再現するように、前記濃色部と前記淡色部の配置や濃度が設定され、かつ当該第１の画像の背景に対応する領域に所定の生地を表現又は再現するように、前記濃色部と前記淡色部の配置や濃度が設定されて印刷されることで、前記第１の画像の主要部に対応する領域には、前記所定の筆触又は筆致に対応するように、筆跡や隆起高さを有する凹凸模様が形成され、前記第１の画像の背景に対応する領域には、前記所定の生地に対応するように、所定の目の粗さや隆起高さを有する凹凸模様が形成される」と補正され、
ウ　請求項４について、「前記第１の画像の背景に対応する領域は、前記第１の画像の主要部に対応する領域を避けた領域として設定されている」と補正され、
エ　請求項５について、「前記モノクロ画像は、濃色部と淡色部とを有し、前記彩色画像の主要部に対応する領域に所定の筆触又は筆致を表現又は再現するように、前記濃色部と前記淡色部の配置や濃度が設定され、かつ前記彩色画像の背景に対応する領域に所定の生地を表現又は再現するように、前記濃色部と前記淡色部の配置や濃度が設定されて印刷されることで、前記彩色画像の主要部に対応する領域には、前記所定の筆触又は筆致に対応するように、筆跡や隆起高さを有する凹凸模様が形成され、前記彩色画像の背景に対応する領域には、前記所定の生地に対応するように、所定の目の粗さや隆起高さを有する凹凸模様が形成される」と補正され、
オ　請求項７について、「前記彩色画像の背景に対応する領域は、前記彩色画像の主要部に対応する領域を避けた領域として設定されている」と補正され、
　その結果、上記（１）ア〜エの拒絶理由は解消した。
第７　むすび
　以上のとおり、本願発明１ないし７は、当業者が引用発明および引用文献２に記載された技術的事項に基づいて容易に発明することができたものではない。
　したがって、原査定の理由によっては、本願は拒絶することはできない。
　また、ほかに本願を拒絶すべき理由は発見しない。
　よって、結論のとおり審決する。